(57)【特許請求の範囲】
【請求項１】
パレットと、前記パレット上に対向して立設される２枚の第１の側板と、前記パレット上に対向して立設され前記２枚の第１の側板の両側辺部を連結するように当該第１の側板に略垂直に立設される２枚の第２の側板とを有する組み立て式コンテナであって、
前記第１の側板は、
前記第１の側板及び前記第２の側板が前記パレット上に立設された状態において前記第２の側板の外面に沿って配置されるように当該第１の側板の両辺部から各々当該第１の側板に略垂直に突出した係合プレートと、
前記係合プレートに設けられた開孔である係合ピン嵌合孔とを有し、
前記第２の側板は、
外面から略垂直に突出し、前記第１の側板及び前記第２の側板が前記パレット上に立設された状態において前記第１の側板の前記係合ピン嵌合孔に挿通する係合ピンと、
当該第２の側板の外面との間に前記第１の側板の前記係合プレートが介在可能な間隙を保持して当該第２の側板の外面に沿って回転可能な板状部材であって、前記係合ピンの位置において姿勢が維持可能な回転式側板係止板と、
前記回転式側板係止板に前記係合ピンの位置の方向に回転力を作用させるスプリングとを有する
組み立て式コンテナ。
【請求項２】
前記回転式側板係止板は、前記係合ピンが係合する係合溝を有することを特徴とする請求項１に記載の組み立て式コンテナ。
【請求項３】
前記第２の側板は、前記回転式側板係止板の回転を抑止し、当該回転式側板係止板を前記係合ピンの位置に維持する回転止め具をさらに有することを特徴とする請求項１又は２に記載の組み立て式コンテナ。
【請求項４】
前記第１の側板は、下縁両側に、下縁を延長する方向に突出した側板位置規定用ピンを有し、
前記第２の側板は、下縁両側に、下縁を延長する方向に突出した側板位置規定用ピンを有し、
当該組み立て式コンテナは、前記パレットの上面の周縁に沿って設置される部材であって、前記第１の側板及び前記第２の側板の位置を規定するとともに、当該第１の側板及び当該第２の側板を立設あるいは折り込むための支持部材である下枠をさらに有し、
前記下枠は、前記第１の側板が立設される位置に沿って設置される第１の枠部と、前記第２の側板が立設される位置に沿って設置される第２の枠部とを有し、
前記第１の枠部の両端部には、前記第１の側板の下縁両端部に設けられた前記側板位置規定用ピンが落とし込まれる溝が形成されていることを特徴とする請求項１〜３のいずれかに記載の組み立て式コンテナ。
【発明の詳細な説明】
【技術分野】
【０００１】
本発明は、側板を折り込むことができる組み立て式コンテナに関し、特に、組み立て及び折り畳みが容易で、内部に異物が混入する可能性を低くすることのできる組み立て式コンテナに関する。
【背景技術】
【０００２】
使用時にはパレット上に側壁パネル（側板）を立設して内部に物品を収容する組み立て式のコンテナが知られている（例えば、特許文献１及び特許文献２参照）。組み立て式コンテナは、回送時や保管時に側板をパレット上に折り込んで容積を小さくすることができるので、繰り返し使用するコンテナにおいて非常に有効である。
また、近年の物流システムの進展あるいは物品の輸送環境の変化等により、種々雑多な様々な物品が汎用の組み立て式コンテナに収容されて搬送あるいは保管されており、これに伴って様々な用途の様々な構成の様々な種類の組み立て式コンテナが提供されている。この種のコンテナにおいては、通常、軽量で頑丈で安価なものが要望されるが、最近では、振動や揺れを大幅に吸収できる精密機器用のコンテナや、微細なゴミや粉塵も排除した状態で物品を搬送できる半導体デバイス材料用のコンテナ等、耐振性能や防塵性能等の特定の特性に優れた高性能な組み立て式コンテナも開発され利用されている（例えば特許文献３参照）。
【０００３】
【特許文献１】特開２００１−９７３７３号公報
【特許文献２】特開２００２−２５５１６５号公報
【特許文献３】特開２００７−２６９３７３号公報
【発明の開示】
【発明が解決しようとする課題】
【０００４】
このように近年では種々の組み立て式コンテナが提供されているが、なお一層組み立てが簡単容易で、かつ丈夫で耐久性のある組み立て式コンテナが要望されている。
【０００５】
また、一方で、収容物品に対する保護、安全性等の観点から、コンテナ内部に異物が混入することに関しては一層の確実性が要求されている。例えば、工業製品の部品等であって異物混入することにより化学反応、金属反応、酸化反応等々が生じる可能性のある物品を収容し搬送する場合には、そのような異物の混入を確実に防止することが防止される。また、例えば食品、食品を収容する容器、あるいは食品関連の物品を収容し搬送する場合には、そのような異物の混入により人に対する健康上の安全性等が害される可能性があり、このような場合も異物の混入を確実に防止することが防止される。
【０００６】
本発明は、このような要望等に基づいてなされたものであってその目的は、構成が簡単で、組み立てや折り畳みを容易かつ確実に行うことができる一方で、異物が混入する可能性を低くすることのできる組み立て式コンテナを提供することにある。
【課題を解決するための手段】
【０００７】
前記目的を達成するために、本発明に係る組み立て式コンテナは、パレットと、前記パレット上に対向して立設される２枚の第１の側板と、前記パレット上に対向して立設され前記２枚の第１の側板の両側辺部を連結するように当該第１の側板に略垂直に立設される２枚の第２の側板とを有する組み立て式コンテナであって、前記第１の側板は、前記第１の側板及び前記第２の側板が前記パレット上に立設された状態において前記第２の側板の外面に沿って配置されるように当該第１の側板の両辺部から各々当該第１の側板に略垂直に突出した係合プレートと、前記係合プレートに設けられた開孔である係合ピン嵌合孔とを有し、前記第２の側板は、外面から略垂直に突出し、前記第１の側板及び前記第２の側板が前記パレット上に立設された状態において前記第１の側板の前記係合ピン嵌合孔に挿通する係合ピンと、当該第２の側板の外面との間に前記第１の側板の前記係合プレートが介在可能な間隙を保持して当該第２の側板の外面に沿って回転可能な板状部材であって、前記係合ピンの位置において姿勢が維持可能な回転式側板係止板とを有する。
【０００８】
好適には、前記回転式側板係止板は、前記係合ピンが係合する係合溝を有することを特徴とする。
【０００９】
また好適には、前記第２の側板は、前記回転式側板係止板の回転を抑止し、当該回転式側板係止板を前記係合ピンの位置に維持する回転止め具をさらに有することを特徴とする。
【００１０】
また好適には、前記第２の側板は、前記回転式側板係止板に、前記係合ピンの位置の方向に回転力を作用させるスプリングをさらに有することを特徴とする。
【発明の効果】
【００１１】
本発明によれば、構成が簡単で、組み立てや折り畳みを容易かつ確実に行うことができるとともに、異物が混入する可能性を低くすることのできる組み立て式コンテナを提供することができる。
【発明を実施するための最良の形態】
【００１２】
本発明の組み立て式コンテナの一実施形態について図１〜図６を参照して説明する。
図１は、本発明の一実施形態に係る組み立て式コンテナの構成を示す分解斜視図であり、図２は、図１に示した組み立て式コンテナの第１の側板の構成を示す斜視図であり、図３は、図１に示した組み立て式コンテナの第２の側板の構成を示す斜視図であり、図４は、図２に示した第１の側板が第１の枠部に沿って立設している状態を示す図であり、図５は、図２に示した第１の側板と図３に示した第２の側板との設置状態を説明するための図であり、図６は、図１に示した組み立て式コンテナの第１の側板と第２の側板との係止機構を示す図であって、図６（Ａ）は上面図であり、図６（Ｂ）は側面図である。
本実施形態に例示する組み立て式コンテナは、特定の物を被収容対象とするものではなく任意の物を収容可能なコンテナであり、例えば、食品や医薬品等あるいはそれらの容器等を収容してもよいし、あるいはまた、工業製品の部品等の収容に用いてもよい。
【００１３】
図１に示すように、組み立て式コンテナ１は、パレット１００、下枠２００、床板３００、２枚の第１の側板４１０、２枚の第２の側板４２０及び蓋部材５００を有する。
【００１４】
パレット１００は、コンテナ１の搬送台である。パレット１００の側面には、フォークリフトの爪部が差し込まれるリフト用孔１１０が形成されている。本実施形態のパレット１００は樹脂製であるが、ステンレスやアルミニウム等の金属製であってもよい。
【００１５】
下枠２００は、パレット１００の上面の周縁に沿って設置される部材であって、側板（第１の側板４１０及び第２の側板４２０）の位置を規定するとともに、これらを立設あるいは折り込むための支持部材である。
下枠２００は、後述する第１の側板４１０が立設される位置に沿って設置される第１の枠部２１０と、後述する第２の側板４２０が立設される位置に沿って設置される第２の枠部２２０とを有する。
第１の枠部２１０及び第２の枠部２２０は、各々２枚の第１の側板４１０及び第２の側板４２０をパレット１００上に折り込んだ時の高さ、すなわち、側板４枚分の板厚に相当する高さを有する。
なお、下枠２００の材質は、金属や樹脂が好ましく、金属がより好ましい。
【００１６】
第１の枠部２１０の両端部には、図１及び図５に示すように、第１の側板４１０の下縁両端部に設けられたに側板位置規定用ピン４１５が落とし込まれる溝２１５が形成されている。溝２１５は、図５に示すように、第２の枠部２２０の板面からさらに外方向に突出するように形成されている。
【００１７】
第２の枠部２２０の両側の端部近傍の板面上部には、図１及び図４に示すように、第２の側板４２０が第２の枠部２２０に沿って立設された時に第２の側板４２０に形成された抜け防止ピン４２７が挿入されて通過されるための抜け防止ピン挿入孔２２７が形成されている。すなわち、抜け防止ピン挿入孔２２７は、第２の枠部２２０において、第２の側板４２０が第２の枠部２２０に沿って立設された時に、第２の側板４２０の抜け防止ピン４２７が配置される位置に対応する位置に形成される。
第２の側板４２０が抜け防止ピン４２７を抜け防止ピン挿入孔２２７に挿入させて第２の枠部２２０に沿って立設され、さらに、後述するプレート挟持機構４３０により、コンテナ１の４箇所の上方角部において隣接する第１の側板４１０と第２の側板４２０とが順次離脱不能に係合されることにより、４枚の第１の側板４１０と第２の側板４２０とは、相互に離脱不能に結合されるとともに、第１の枠部２１０及び第２の枠部２２０から、すなわちパレット１００から、上方向に抜けない状態とされる。
【００１８】
また、図１に示すように、第１の側板４１０の高さは第２の側板４２０の高さよりも短く、第１の側板４１０及び第２の側板４２０が下枠２００に沿って立設される時、第１の側板４１０の下縁は第２の側板４２０の下縁よりも上方に配置されることとなる。そのために、第１の枠部２１０の内側には、図４に示すように、第１の側板４１０が載置される段差部２１２が設けられている。すなわち、第１の側板４１０が第１の枠部２１０に沿って立設される時、第１の側板４１０はこの段差部２１２上に載置される。
【００１９】
床板３００は、組み立て式コンテナ１の収容空間の下面を規定する板部材であり、パレット１００上の下枠２００で囲まれた範囲に載置される。床板３００の材質は、特に限定されず、プラスチック段ボール板、合成樹脂板（発泡合成樹脂板を含む）、金属板、合板、繊維板等が用いられる。
【００２０】
各々２枚の第１の側板４１０及び第２の側板４２０は、パレット１００の上面周縁部に立設され、所望の物品を収容する組み立て式コンテナ１の内部収容区間を形成する。
一対の第１の側板４１０は、矩形のパレット１００の一方の対辺上に相互に対向するように配置され、一対の第２の側板４２０は、パレット１００の他方の対辺上に同じく相互に対向するように、また、第１の側板４１０の両側端を連結するように配置される。
【００２１】
第１の側板４１０及び第２の側板４２０は、面部材の周囲に、側端枠材、上下枠材等の枠部材が装着された構成である。面部材の材質は特に限定されないが、例えば床板３００と同様のプラスチック段ボール板、合成樹脂板（発泡合成樹脂板を含む）、金属板、合板、繊維板等が用いられる。また枠部材は、例えば鋼材等の金属で構成される。
【００２２】
第１の側板４１０は、図２に示すように、その下縁両側に、下縁を延長する方向に突出した側板位置規定用ピン４１５を有する。第１の側板４１０をパレット１００に取り付ける時には、この側板位置規定用ピン４１５を第１の枠部２１０の両側に形成された溝２１５に落とし込む。これにより第１の側板４１０は、その下縁の水平方向の位置が第１の枠部２１０に沿った位置に保持される。前述したように、第１の側板４１０の下縁は第１の枠部２１０の段差部２１２上に載置された状態となっており、これにより第１の側板４１０は、その下縁及び側板位置規定用ピン４１５を支点として回動され、第１の枠部２１０に沿って立設された状態、あるいは、パレット１００上に折り込まれた（寝かされた）状態とされる。
【００２３】
第１の側板４１０の左右両方の側縁部には、第２の側板４２０と係合するための係合プレート４１３が形成されている。係合プレート４１３は、第１の側板４１０の左右両側の周縁部から板面に垂直に内側方向（第２の側板４２０方向）に伸びた薄板状の部分である。係合プレート４１３は、第１の側板４１０の枠部材の一部を内側方向に延伸することにより、あるいはまた、第１の側板４１０の両側の枠部材として断面Ｌ字の金具を用いることにより形成するのが好適である。第１の側板４１０及び第２の側板４２０がパレット１００上に立設される場合、第１の側板４１０の係合プレート４１３に隣接する第２の側板４２０が密接に配置されて、第２の側板４２０に備わる回転式側板係止板４３１によりその密接状態が維持される。
【００２４】
第１の側板４１０の係合プレート４１３の上部には、第２の側板４２０に具備される係合ピン４２４が嵌合される係合ピン嵌合孔４１４が形成されている。前述したように、第２の側板４２０が第１の側板４１０の係合プレート４１３に密接するように第１の側板４１０及び第２の側板４２０が立設された状態において、第２の側板４２０の係合ピン４２４が第１の側板４１０の係合ピン嵌合孔４１４に嵌合される。
【００２５】
第２の側板４２０は、図３に示すように、その下縁両側に、下縁を延長する方向に突出した側板位置規定用ピン４２５を有する。側板位置規定用ピン４２５は、隣接する第１の側板４１０の厚みとほぼ同じ程度の長さに形成される。
【００２６】
また、第２の側板４２０の下枠の両端部には、第２の側板４２０が第２の枠部２２０に沿って立設された時に第２の枠部２２０の抜け防止ピン挿入孔２２７に挿入される抜け防止ピン４２７が、外面から外方向に突出するように形成されている。第２の側板４２０は、抜け防止ピン４２７を第２の枠部２２０の抜け防止ピン挿入孔２２７に挿入させて第２の枠部２２０に沿って立設されることにより、第２の枠部２２０に対して上方向に抜けない状態とされる。
【００２７】
また、第２の側板４２０には、パレット上に傾倒されている第２の側板４２０を引き起こしてパレット１００上に立設するために、その外面にバンド４２８が装着されている。
【００２８】
第２の側板４２０をパレット１００に取り付ける時には、側板位置規定用ピン４２５を含む第２の側板４２０の下縁部分を、第２の枠部２２０に沿って配設する。この際には、第２の側板４２０の下枠部分に設けられた抜け防止ピン４２７が第２の枠部２２０と干渉しないように、第２の側板４２０を内側に若干倒して、あるいは、第２の側板４２０を床板３００と略平行な程度にまで寝かせて、第２の側板４２０の下縁部分を第２の枠部２２０の内側に配設する。
その後、第１の側板４１０を、前述したように側板位置規定用ピン４１５を第１の枠部２１０の溝２１５に落とし込むことにより装着した後、あるいは、第１の側板４１０をそのように装着する前に、第２の側板４２０のバンド４２８を引き起こす等して第２の側板４２０を第２の枠部２２０に沿うようにパレット１００上に垂直に立設する。その結果、第２の側板４２０の下枠部に設けられた抜け防止ピン４２７は第２の枠部２２０に設けられた抜け防止ピン挿入孔２２７に挿入され、これにより、第２の側板４２０は第２の枠部２２０に対して上方に抜けない状態に設置されることになる。
【００２９】
図３に戻って、第２の側板４２０の外面上部の左右両縁部には、第１の側板４１０及び第２の側板４２０がパレット１００上において立設された時に、第１の側板４１０の係合プレート４１３に形成された係合ピン嵌合孔４１４に嵌合される係合ピン４２４が形成されている。第２の側板４２０は、係合ピン４２４を第１の側板４１０の係合ピン嵌合孔４１４に嵌合させて第１の側板４１０の係合プレート４１３に密接されて立設されることにより、第１の側板４１０に対して少なくとも上下方向に移動しない状態に維持される。
【００３０】
また、第２の側板４２０の外面上部の左右両縁部の前述した係合ピン４２４の内側には、第１の側板４１０の係合プレート４１３を第２の側板４２０の板面との間で挟持するための回転式側板係止板４３１を有するプレート挟持機構４３０が設置されている。
【００３１】
プレート挟持機構４３０は、図６（Ａ）及び図６（Ｂ）に示すように、長方形の薄板状部材（回転式側板係止板）４３１が、第２の側板４２０の上枠の両端部に、板装着ピン４３２により第２の側板４２０の外側面内において回転可能に設置された構成である。回転式側板係止板４３１は、その長手方向の一方の端部付近が、板装着ピン４３２により第２の側板４２０に設置されており、この板装着ピン４３２を回転中心として回転可能に設置されている。
【００３２】
また、回転式側板係止板４３１の他方の端部４３１ａには、係合ピン４２４が係合するようなＵ字形状の係合溝４３３が形成されている。そして、回転式側板係止板４３１は、第２の側板４２０の左右両方の上端部において、図６（Ｂ）に示すように、他方の端部４３１ａが第２の側板４２０の最も縁側となるように、また長手方向が水平方向となるように配置された時に、係合溝４３３が係合ピン４２４に係合するような配置で設置される。従って、プレート挟持機構４３０においては、回転式側板係止板４３１を上方から係合ピン４２４方向に落とし込むように回転させれば（図６（Ｂ）に示すプレート挟持機構４３０においては、回転式側板係止板４３１を反時計回りに回転させれば）、係合ピン４２４が回転式側板係止板４３１の係合溝４３３に係合し、回転式側板係止板４３１はその係合状態に保持される。
【００３３】
また、回転式側板係止板４３１は、図６（Ａ）に示すように、第２の側板４２０の外面との間に、第１の側板４１０の係合プレート４１３に相当する厚みのスペーサ４３４を介在させて、板装着ピン４３２により設置されている。
【００３４】
前述したように、第１の側板４１０及び第２の側板４２０をパレット１００上に立設する時には、第２の側板４２０の係合ピン４２４は第１の側板４１０の係合プレート４１３に形成された係合ピン嵌合孔４１４を貫通した構成となる。この状態において、回転式側板係止板４３１を回転させて、図６（Ｂ）に示すように、係合溝４３３が係合ピン４２４に係合した状態に配置すると、スペーサ４３４が存在することにより、回転式側板係止板４３１は第１の側板４１０の係合プレート４１３の外側に配置される。すなわち、図６（Ａ）に示すように、第１の側板４１０の係合プレート４１３が回転式側板係止板４３１と第２の側板４２０の外面との間に挟持されることとなる。その結果、すなわち係合プレート４１３の外側に第２の側板４２０に設置された回転式側板係止板４３１が配置された結果、係合ピン４２４が係合ピン嵌合孔４１４から離脱することが防止され、第２の側板４２０がコンテナ内部方向に傾倒することが防止される。
そしてその結果、パレット１００上に立設された第１の側板４１０と第２の側板４２０とは、その４箇所の角部において、隣接する第１の側板４１０と第２の側板４２０とが離脱不能に係合される。
【００３５】
プレート挟持機構４３０は、対向配置される２枚の第２の側板４２０の各々の上部左右両端に、すなわち合計４箇所に配置される。すなわち、第１の側板４１０及び第２の側板４２０がパレット１００上に立設される時には、各側板は４箇所の角部各々において、プレート挟持機構４３０により係合される。
【００３６】
なお、係合ピン４２４に係合溝４３３が係合した状態にある回転式側板係止板４３１は、他方の端部４３１ａ側を上方向に回転させることにより、係合溝４３３の係合ピン４２４との係合は解除され、回転式側板係止板４３１が第２の側板４２０の外面との間で第１の側板４１０の係合プレート４１３を挟持した状態も解除される。
その結果、その状態で第２の側板４２０を内側に傾倒させることにより、係合ピン４２４は係合ピン嵌合孔４１４から離脱して、第１の側板４１０と第２の側板４２０との上部角部での係合状態も解除され、第１の側板４１０及び第２の側板４２０は離脱あるいは折り畳み可能な状態となる。
このようにしてプレート挟持機構４３０により、第２の側板４２０と第１の側板４１０の立設状態及び折り込み状態が切り替えられる。
【００３７】
蓋部材５００は、パレット１００上に立設された第１の側板４１０及び第２の側板４２０により形成されるコンテナ１の収容空間の上部開口を閉塞するための蓋部材である。
蓋部材５００も、第１の側板４１０、第２の側板４２０及び床板３００と同様に、例えばプラスチック段ボール、金属板、合板、繊維板等により構成される。
蓋部材５００の上面には、物品を収容した状態で、あるいは、折り畳まれた状態で、コンテナ１を順次段積み可能なように、係止凸部５１０が形成されている。係止凸部５１０は、パレット１００の下面の図示せぬ係止凹部に係合するような配置、形状に形成される。
【００３８】
このような構成のコンテナ１においては、物品を収容せずに保管あるいは回送される時には、パレット１００上に、対向する２枚の第２の側板４２０及び対向する２枚の第１の側板４１０がこの順番に折り込まれて、さらにその上に蓋部材５００が載置されて、順次段積みされる等して保管等される。
このような組み立て式コンテナ１を使用する、すなわち所望の物品を収容する場合には、まず、対向する２枚の第１の側板４１０を第１の枠部２１０に沿って立設する。第１の側板４１０はパレット１００上に折り込まれているので、その上部を支持して下縁が回転軸となるように持ち上げることにより、第１の側板４１０は立設状態となる。
【００３９】
第１の側板４１０を立設したら、次に、第２の側板４２０を立設する。同じく、パレット１００上に折り込まれている第２の側板４２０を、第２の側板４２０の外面に装着されているバンド４２８を引っ張ることにより、下縁を回転軸として引き起こす。これにより、第２の側板４２０は先に立設されている第１の側板４１０の間で立設状態となる。この時、第２の側板４２０の抜け防止ピン４２７は、第２の枠部２２０の抜け防止ピン挿入孔２２７に挿入され、その結果、第２の側板４２０は、第２の枠部２２０に対して上方に抜けない状態となる。また、第２の側板４２０は第１の側板４１０の係合プレート４１３に当接した状態となり、これにより、第２の側板４２０の上部両側に形成されている係合ピン４２４は第１の側板４１０の係合ピン嵌合孔４１４に嵌合された状態となる。
【００４０】
そして、第２の側板４２０を第１の側板４１０に沿って立設した状態としたら、第２の側板４２０のプレート挟持機構４３０の回転式側板係止板４３１を回転させて、第１の側板４１０の係合プレート４１３の外側で、回転式側板係止板４３１の係合溝４３３を係合ピン４２４に係合した状態とする。その結果、第２の側板４２０は第１の側板４１０の係合プレート４１３を挟持した状態に維持され、第２の側板４２０及び第１の側板４１０はともに、パレット１００上に倒れ込むことが防止され、立設状態が維持される。
【００４１】
また、この状態においては、第２の側板４２０の抜け防止ピン４２７は第２の枠部２２０の抜け防止ピン挿入孔２２７に嵌合され、第２の側板４２０の係合ピン４２４は第１の側板４１０の係合ピン嵌合孔４１４に嵌合される。また、第２の側板４２０の側板位置規定用ピン４２５は第１の側板４１０の側板位置規定用ピン４１５により上方を押さえられた状態である。その結果、下枠２００、第１の側板４１０及び第２の側板４２０は一体化され、任意の物品を適切に収容して保護することのできるコンテナが構成される。
【００４２】
物品の搬送等が終了して組み立て式コンテナ１を回送等する時には、プレート挟持機構４３０の回転式側板係止板４３１を、係合溝４３３から係合ピン４２４が抜けるような方向に回転させることにより、第２の側板４２０を内側に（パレット１００の上方に）折り込むことが可能となる。
対向する２枚の第２の側板４２０をパレット１００上に折り込んだら、第１の側板４１０についてもこれをパレット１００上に折り込むことが可能となる。その結果、組み立て式コンテナ１は、４枚の側板をパレット１００上に折り込んだ状態となり、小さい容積での保管や回送が可能となる。
【００４３】
また、組み立て式コンテナ１において、掃除や修理のために側板を取り外したい時には、組み立て式コンテナ１を折り込んだ状態から、まず、第１の側板４１０を上方に持ち上げ、側板位置規定用ピン４１５を第１の枠部２１０の溝２１５から抜き取る。これにより、第１の側板４１０はパレット１００から分離された状態となる。
また、第１の側板４１０を抜いた後は、第２の側板４２０の側板位置規定用ピン４２５を押さえていた第１の側板４１０の側板位置規定用ピン４１５が除去された状態なので、第２の側板４２０も同様に上方に抜き取ることができる。
すなわち、組み立て式コンテナ１は、このような簡単な方法により第１の側板４１０及び第２の側板４２０の係合状態を解除し、分解することができ、その結果、側板の交換や清掃、洗浄等を簡単に行うことができる。
【００４４】
このように、本実施形態の組み立て式コンテナ１は、容易に組み立て及び解体が可能であり、組み立てた時には、任意の被収容物を内部に適切に収容することができる。また、解体した時には容積を小さくすることができる。
また、通常の組み立て方法は、第１の側板４１０及び第２の側板４２０をパレット１００上に折り込むあるいは立設するだけであり、各側板はパレットとつながった状態で組み立て等が行われる。従って、側板を分離することによる損傷や紛失を防ぐことができる。  一方で、側板を分離したい時には、側板が折り込んである状態から各側板を順次上方に抜き出せばよい。従って、必要な時には簡単な方法により分離することも可能である。
【００４５】
また、本実施形態の組み立て式コンテナ１においては、プレート挟持機構４３０は、回転式側板係止板４３１をスペーサ４３４を介在させて板装着ピン４３２により第２の側板４２０に外面から設置したものである。従って、構成が非常に簡単なものであり、コンテナの内部に脱落のする可能性のあるビス、リベット、ボルトあるいはナット等の部材は使用していない。従って、コンテナ内部に異物が混入する可能性を低くすることができる。
【００４６】
なお、本発明は、上述した実施形態に限定されるものではなく、本発明の範囲内で種々に改変することができる。
【００４７】
例えば、前述した実施形態のプレート挟持機構４３０の構成は、さらにいくつかの好適な改変を加えることができる。
例えば、前述したプレート挟持機構４３０は、単に回転式側板係止板４３１を回転させることにより、回転式側板係止板４３１の係合溝４３３に係合ピン４２４を係合させる、あるいは、それを解除するものであり、その係合状態は回転式側板係止板４３１の自重により維持するものであった。しかしながら、コンテナの傾斜や振動等により回転式側板係止板４３１が意図しない回転を行い、係合溝４３３と係合ピン４２４の係合状態が意図しないところ、例えば物品の搬送途中等で解除されることを防止することは有効である。そのために、回転式側板係止板４３１の回転を防止する機構を設ける構成としてもよい。
【００４８】
そのような構成の具体例を図７及び図８に示す。
図７は、回転式側板係止板４３１の板装着ピン４３２が配置されて入る側の端部に、回転式側板係止板４３１が容易に回転しないように、回転止め具４４０を設けた構成である。回転止め具４４０は、回転止め板４４１と、それを回転可能に第２の側板４２０に装着するピン４４２とを有する。回転止め板４４１は、ピン４４２を回転軸として回転可能に形成された板状部材であって、ピン４４２を中心として周辺までの距離が非対称な特定の平面形状の部材である。回転止め具４４０においては、回転止め板４４１を、ピン４４２からの距離が長い特定の辺が回転式側板係止板４３１の端辺と接触した状態となる姿勢に配置することにより、図７に示すように、回転式側板係止板４３１と回転止め板４４１とがともに回転不能な状態となるものである。回転式側板係止板４３１を回転させる時には、回転止め板４４１を上方に抜いて回転させる等、回転止め板４４１を特定の方向に移動回転させることにより、回転式側板係止板４３１の回転防止状態が解除され、回転式側板係止板４３１の回転が可能となる。
このような回転止め具４４０を設置することにより、回転式側板係止板４３１が意図せずに回転して第１の側板４１０と第２の側板４２０の係合状態が解除される等の事故を防止することができる。
【００４９】
図８は、前述した実施形態のプレート挟持機構４３０において、回転式側板係止板４３１の係合溝４３３が常に係合ピン４２４に係合した姿勢に付勢されるように、スプリング４３５を設置した構成である。スプリング４３５は、例えば図８（Ｃ）に示すようなコイルスプリングであり、これを図８（Ｂ）に示すように板装着ピン４３２の周囲に設置して図８（Ｂ）及び図８（Ａ）に示すように、第２の側板４２０を支点として回転式側板係止板４３１にバネ力が作用するように設置したものである。
プレート挟持機構４３０の構成をこのようなスプリング４３５を有する構成とすることによっても、回転式側板係止板４３１が意図せずに回転して第１の側板４１０と第２の側板４２０の係合状態が解除される等の事故を防止することができる。
なお、第１の側板４１０と第２の側板４２０を係合設置する場合、あるいは、係合を解消して離脱あるいは折り畳みする場合は、スプリング４３５のバネ力に抗して回転式側板係止板４３１を上方に移動させて係合溝４３３と係合ピン４２４との係合を解消し、第１の側板４１０と第２の側板４２０との係合あるいは離脱を行うこととなる。
【図面の簡単な説明】
【００５０】
【図１】図１は、本発明の一実施形態に係る組み立て式コンテナの構成を示す分解斜視図である。
【図２】図２は、図１に示した組み立て式コンテナの第１の側板の構成を示す斜視図である。
【図３】図３は、図１に示した組み立て式コンテナの第２の側板の構成を示す斜視図である。
【図４】図４は、図２に示した第１の側板が第１の枠部沿って立設している状態を示す図である。
【図５】図５は、図２に示した第１の側板と図３に示した第２の側板との設置状態を説明するための図である。
【図６】図６は、図１に示した組み立て式コンテナの第２の側板に装着されるプレート挟持機構の構成を示す図である。
【図７】図７は、図１に示した組み立て式コンテナの第２の側板に装着されるプレート挟持機構の他の構成を示す図である。
【図８】図８は、図１に示した組み立て式コンテナの第２の側板に装着されるプレート挟持機構のさらに他の構成を示す図である。
【符号の説明】
【００５１】
１…組み立て式コンテナ
１００…パレット
１１０…リフト用孔
２００…下枠
２１０…第１の枠部
２１２…段差部
２１５…溝
２２０…第２の枠部
２２７…抜け防止ピン挿入孔
３００…床板
４１０…第１の側板
４１３…係合プレート
４１４…係合ピン嵌合孔
４１５…側板位置規定用ピン
４２０…第２の側板
４２４…係合ピン
４２５…側板位置規定用ピン
４２７…抜け防止ピン
４２８…バンド
４３０…プレート挟持機構
４３１…回転式側板係止板
４３２…板装着ピン
４３３…係合溝
４３４…スペーサ
４３５…スプリング
４４０…回転止め具
４４１…回転止め板
４４２…ピン
５００…蓋部材
５１０…係止凸部
【図１】
0005262320.tif 000002
【図２】
0005262320.tif 000003
【図３】
0005262320.tif 000004
【図４】
0005262320.tif 000005
【図５】
0005262320.tif 000006
【図６】
0005262320.tif 000007
【図７】
0005262320.tif 000008
【図８】
0005262320.tif 000009